(57)【要約】  少なくとも下り制御情報を利用したアクティベーション／ディアクティベーション制御を適切に行うために、本開示のユーザ端末の一態様は、セルのアクティベーション又はディアクティベーションを指示する第１の制御信号及び第２の制御信号を受信する受信部と、所定セルのアクティベーション又はディアクティベーションを、前記第１の制御信号と前記第２の制御信号のいずれか一方のみ、又は前記第１の制御信号と前記第２の制御信号の両方を利用して行う制御部と、を有する。
2020008648.tif 000002
【特許請求の範囲】
【請求項１】
セルのアクティベーション又はディアクティベーションを指示する第１の制御信号及び第２の制御信号を受信する受信部と、
所定セルのアクティベーション又はディアクティベーションを、前記第１の制御信号と前記第２の制御信号のいずれか一方のみ、又は前記第１の制御信号と前記第２の制御信号の両方を利用して行う制御部と、を有することを特徴とするユーザ端末。
【請求項２】
前記受信部は、第１の制御信号に基づいてアクティベーションとディアクティベーションが制御されるセルに関する情報、及び第２の制御信号に基づいてアクティベーションとディアクティベーションが制御されるセルに関する情報の少なくとも一方を受信することを特徴とする請求項１に記載のユーザ端末。
【請求項３】
前記制御部は、前記所定セルのアクティベーション又はディアクティベーションを指示する前記第２の制御信号の受信、及び前記所定セルに対するスケジューリング情報の受信の少なくとも一方に基づいて、前記所定セルに対するディアクティベーションタイマーを制御することを特徴とする請求項１又は請求項２に記載のユーザ端末。
【請求項４】
前記制御部は、前記所定セルのアクティベーションとディアクティベーションの指示が前記第２の制御信号で制御される場合、前記所定セルについてディアクティベーションタイマーによるディアクティベーションを行わないことを特徴とする請求項１又は請求項２に記載のユーザ端末。
【請求項５】
前記制御部は、前記所定セルに対するアクティベーション又はディアクティベーションを指示する第１の制御信号と第２の制御信号を同時に受信しないと想定することを特徴とする請求項１から請求項４のいずれかに記載のユーザ端末。
【請求項６】
前記制御部は、前記所定セルに対するアクティベーション又はディアクティベーションを指示する第１の制御信号と第２の制御信号を同時に受信した場合、いずれか一方の制御信号の指示に基づいて所定セルのアクティベーション又はディアクティベーションを行うことを特徴とする請求項１から請求項４のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０−１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥ（例えば、ＬＴＥ  Ｒｅｌ．１３以前）におけるキャリアアグリゲーション（ＣＡ：Carrier  Aggregation）において、基地局は、ユーザ端末（ＵＥ：User  Equipment）に対してセカンダリセル（ＳＣｅｌｌ：Secondary  Cell）をディアクティブ状態からアクティベートするために、ＭＡＣ制御要素（ＭＡＣ  ＣＥ（Medium  Access  Control  Control  Element））を用いた制御を行う。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
既存のＬＴＥにおいて、ＭＡＣ制御要素を利用したＳＣｅｌｌのアクティベーションには数十ｍｓを要する。将来の無線通信システム（例えば、ＮＲ）においては、より迅速なＳＣｅｌｌのアクティベーション／ディアクティベーション制御が求められている。ＳＣｅｌｌのアクティベーション／ディアクティベーション制御を迅速に行うために、下り制御情報を利用することが考えられる。【０００７】
しかし、下り制御情報を利用してＳＣｅｌｌのアクティベーション／ディアクティベーションを制御する場合、どのように制御するかが問題となるが、具体的な動作等については十分に検討されていない。アクティベーション／ディアクティベーション制御が適切に行われない場合、スループットの低下又は通信品質の劣化等が生じるおそれがある。【０００８】
そこで、本開示は、少なくとも下り制御情報を利用したアクティベーション／ディアクティベーション制御を適切に行うことができるユーザ端末を提供することを目的の１つとする。
【課題を解決するための手段】
【０００９】
本開示の一態様に係るユーザ端末は、セルのアクティベーション又はディアクティベーションを指示する第１の制御信号及び第２の制御信号を受信する受信部と、所定セルのアクティベーション又はディアクティベーションを、前記第１の制御信号と前記第２の制御信号のいずれか一方のみ、又は前記第１の制御信号と前記第２の制御信号の両方を利用して行う制御部と、を有することを特徴とする。
【発明の効果】
【００１０】
本開示の一態様によれば、少なくとも下り制御情報を利用したアクティベーション／ディアクティベーション制御を適切に行うことができる。
【図面の簡単な説明】
【００１１】
【図１】ＤＣＩを利用したアクティベーション／ディアクティベーションの一例を示す図である。
【図２】ＤＣＩを利用したアクティベーション／ディアクティベーションの他の例を示す図である。
【図３】タイマを利用したアクティベーション／ディアクティベーションの一例を示す図である。
【図４】ＭＡＣ制御要素とＤＣＩを利用したアクティベーション／ディアクティベーションの一例を示す図である。
【図５】ＭＡＣ制御要素とＤＣＩを利用したアクティベーション／ディアクティベーションの他の例を示す図である。
【図６】ＭＡＣ制御要素とＤＣＩを利用したアクティベーション／ディアクティベーションの他の例を示す図である。
【図７】複数のＤＣＩを利用したアクティベーション／ディアクティベーションの一例を示す図である。
【図８】複数のＤＣＩを利用したアクティベーション／ディアクティベーションの他の例を示す図である。
【図９】複数のＤＣＩを利用したアクティベーション／ディアクティベーションの他の例を示す図である。
【図１０】本実施の形態に係る無線通信システムの概略構成の一例を示す図である。
【図１１】本実施の形態に係る無線基地局の全体構成の一例を示す図である。
【図１２】本実施の形態に係る無線基地局の機能構成の一例を示す図である。
【図１３】本実施の形態に係るユーザ端末の全体構成の一例を示す図である。
【図１４】本実施の形態に係るユーザ端末の機能構成の一例を示す図である。
【図１５】本実施の形態に係る無線基地局及びユーザ端末のハードウェア構成の一例を示す図である。
【発明を実施するための形態】
【００１２】
既存のＬＴＥ（例えば、ＬＴＥ  Ｒｅｌ．１３）におけるキャリアアグリゲーション（ＣＡ）では、ＳＣｅｌｌをディアクティベート状態（deactivated  state）からアクティベートするために、ＭＡＣ制御要素（ＭＡＣ  ＣＥ（Medium  Access  Control  Control  Element））を用いたシグナリング（Activation/Deactivation  MAC  CE）が利用されている。当該ＭＡＣ  ＣＥには、各ＳＣｅｌｌについての、アクティベートされるべきか否かに関する情報が含まれる。
【００１３】
なお、ディアクティブなセルにおいては、例えば、ＵＥは、下り制御チャネル（例えば、ＰＤＣＣＨ（Physical  Downlink  Control  Channel））のモニタをしない、上り制御チャネル（ＰＵＣＣＨ：Physical  Uplink  Control  Channel）の送信をしないなど、アクティブなセルにおける動作よりも、ＵＥが行う動作が少ない。
【００１４】
あるサブフレーム（サブフレームｎ）においてアクティベーションＭＡＣ  ＣＥを受信したＵＥは、サブフレームｎ＋２４又はｎ＋３４までに有効なＣＳＩ報告を送信する必要がある。ここで、有効なＣＳＩというのは、ＵＥの測定に基づいて得られたＣＱＩインデックス＝０（ＯＯＲ（Out  Of  Range）に対応）以外のＣＱＩ値に対応する。
【００１５】
このように、既存のＬＴＥにおいて、ＳＣｅｌｌのアクティベーションには数十ｍｓを要する。将来の無線通信システム（例えば、ＮＲ、５Ｇ及び５Ｇ＋の少なくとも１つなど。以下、単にＮＲともいう）においては、より迅速なＳＣｅｌｌのアクティベーション／ディアクティベーション制御が求められている。このような制御を適切に実施する手法を確立しなければ、スループットの低下などが生じるという課題がある。
【００１６】
本発明者らは、高速なＳＣｅｌｌのアクティベーション／ディアクティベーション制御を行うために、動的なシグナリング（例えば、下り制御情報）を利用できる点に着目した。一方で、下り制御情報（以下、ＤＣＩとも記す）を利用してセルのアクティベーション／ディアクティベーションを行う場合、ＭＡＣ制御要素（又は、ＭＡＣ制御信号）による制御との関係も含め、どのように制御するかが問題となる。
【００１７】
そこで、本発明者らは、複数の制御信号（例えば、第１の制御信号と第２の制御信号）を利用したセルのアクティベーション／ディアクティベーション制御がサポートされる場合において、所定セルに対するアクティベーション／ディアクティベーション制御方法について着想した。
【００１８】
以下、本開示に係る実施形態について、図面を参照して詳細に説明する。各実施の態様は、それぞれ単独で適用されてもよいし、組み合わせて適用されてもよい。
【００１９】
また、本明細書において、「アクティベーション／ディアクティベーション」との記載は、アクティベーション及びディアクティベーションの少なくとも一方を意味するものとする。つまり、「アクティベーション／ディアクティベーション」は、「アクティベーション」、「ディアクティベーション」、又は「アクティベーション及びディアクティベーション」と読み替えてもよい。
【００２０】
また、ＤＣＩを利用したアクティベーション／ディアクティベーションは、ＤＣＩベースのアクティベーション／ディアクティベーションと呼ばれてもよく、ＭＡＣ制御要素を利用したアクティベーション／ディアクティベーションは、ＭＡＣベースのアクティベーション／ディアクティベーションと呼ばれてもよい。
【００２１】
以下の説明では、セルのアクティベーション／ディアクティベーションを指示する下り制御信号（又は、下りシグナリング）として、ＭＡＣ制御要素（例えば、第１の制御信号）とＤＣＩ（例えば、第２の制御信号）を例に挙げるが、本実施の形態で適用可能な制御信号の種類及び数はこれに限られない。
【００２２】
（第１の態様）
第１の態様は、所定セルのアクティベーション／ディアクティベーション制御を第１の制御信号（例えば、ＭＡＣ制御要素）と第２の制御信号（例えば、ＤＣＩ）の少なくとも一方を利用して行う。以下の説明において、セルは、ＳＣｅｌｌ、ＣＣ、セルグループ（ＣＧ）、及びＰＵＣＣＨグループの少なくとも一つに読み替えられてもよい。
【００２３】
ＵＥは、所定セルのアクティベーション／ディアクティベーション制御をＭＡＣ制御要素とＤＣＩのいずれか一方のみを利用して行う、又は、ＭＡＣ制御要素とＤＣＩの両方を利用して行う。
【００２４】
基地局は、セルのアクティベーション／ディアクティベーションを指示するＤＣＩのモニタリングをＵＥに指示してもよい。例えば、所定セルのアクティベーション／ディアクティベーションを指示するＤＣＩをモニタするためのセルをＵＥに上位レイヤ（例えば、ＲＲＣシグナリング等）で設定してもよい。
【００２５】
基地局は、ＵＥに設定されるセル毎に、各セルのアクティベーション／ディアクティベーションを指示するＤＣＩが送信されるセル（又は、ＵＥが当該ＤＣＩをモニタするためのセル）をＵＥに設定してもよい。
【００２６】
他のセルのアクティベーション／ディアクティベーションを指示するＤＣＩが送信されるセルは、プライマリセル、ＰＳＣｅｌｌ、ＰＵＣＣＨ  ＳＣｅｌｌ、及びＳＣｅｌｌの少なくとも一つであってもよい。
【００２７】
基地局は、アクティベーション／ディアクティベーションが指示されるセルについて、当該アクティベーション／ディアクティベーションの指示に利用される制御信号の種類を設定してＵＥに通知してもよい。
【００２８】
＜オプション１＞
オプション１では、アクティベーション／ディアクティベーションが指示されるセルに対して、当該アクティベーション／ディアクティベーションの指示に利用する制御信号を１つのみ設定する。つまり、各セル（又は、所定セル）は、アクティベーション／ディアクティベーションが指示される制御信号としてＭＡＣ制御要素又はＤＣＩのいずれか一方のみが設定される。
【００２９】
基地局は、所定セルのアクティベーション／ディアクティベーションの指示に利用する制御信号に関する情報を上位レイヤシグナリング等を利用してＵＥに通知してもよい。所定セルのアクティベーション／ディアクティベーションの指示に利用する制御信号に関する情報を設定するシグナリングは、セルごとに個別に設定できるものであってもよいし、セルグループ（ＣＧ）ごとに一括で設定できるものであってもよいし、ＰＵＣＣＨグループ（PUCCH-group）ごとに一括で設定できるものであってもよい。ＵＥは、基地局からの情報に基づいて、所定セルのアクティベーション／ディアクティベーション制御に利用される制御信号の種別を把握できる。
【００３０】
例えば、ＵＥは、セル＃Ｘのアクティベーション／ディアクティベーション用の制御信号としてＭＡＣ制御要素が設定される（ＤＣＩは設定されない）場合を想定する。かかる場合、ＵＥは、当該セル＃Ｘのアクティベーション／ディアクティベーション用のＤＣＩが送信されないと想定して受信処理を制御してもよい。例えば、ＵＥは、アクティベーション／ディアクティベーション用のＤＣＩ（又は、ＰＤＣＣＨ）をモニタしないように制御してもよいし、ＵＥは、アクティベーション／ディアクティベーション用のＤＣＩ（又は、ＰＤＣＣＨ）が検出されないと想定して制御し、仮に前記アクティベーション／ディアクティベーション用のＤＣＩ検出された場合でも、当該セル＃Ｘのアクティベーション／ディアクティベーションは行わないよう制御してもよい。
【００３１】
基地局は、ＵＥに設定されるセルのうち全てのセルに対していずれか一方の制御信号を設定してもよいし、一部のセルに対していずれか一方の制御信号を設定してもよい。例えば基地局は、当該ＵＥの当該セル＃Ｘのアクティベーション／ディアクティベーションにＭＡＣ制御要素が設定された場合、当該ＵＥの当該セル＃Ｘに対しては、アクティベーション／ディアクティベーション用のＤＣＩを送信しない様に制御してもよい。または、基地局は、当該ＵＥの当該セル＃Ｘのアクティベーション／ディアクティベーションにＤＣＩが設定された場合、当該ＵＥの当該セル＃Ｘに対しては、アクティベーション／ディアクティベーション用のＭＡＣ制御要素によるアクティベーション／ディアクティベーションを指示しない様に制御してもよい。
【００３２】
＜オプション２＞
オプション２では、アクティベーション／ディアクティベーションが行われるセルに対して、当該アクティベーション／ディアクティベーションの指示に利用する制御信号を最大２つ（２種類）設定する。つまり、各セル（又は、所定セル）は、アクティベーション／ディアクティベーションが指示される制御信号としてＭＡＣ制御要素とＤＣＩの両方をサポートする（又は、片方又は両方が設定される）。ＵＥは、当該アクティベーション／ディアクティベーションの指示に利用する制御信号としてＭＡＣ制御要素とＤＣＩのいずれかが設定された場合、アクティベーション／ディアクティベーション用のＤＣＩ（又は、ＰＤＣＣＨ）のモニタリングを行うと同時に、ＭＡＣ制御要素によるアクティベーション／ディアクティベーションの指示についても、確認および制御を行う。
【００３３】
基地局は、所定セルのアクティベーション／ディアクティベーションの指示に利用する制御信号に関する情報を上位レイヤシグナリング等を利用してＵＥに通知してもよい。また、基地局は、ＵＥに設定されるセルのうち全てのセルに対して両方の制御信号を設定してもよいし、一部のセルに対して両方の制御信号を設定してもよい。所定セルのアクティベーション／ディアクティベーションの指示に利用する制御信号に関する情報を設定するシグナリングは、セルごとに個別に設定できるものであってもよいし、セルグループ（ＣＧ）ごとに一括で設定できるものであってもよいし、ＰＵＣＣＨグループ（PUCCH-group）ごとに一括で設定できるものであってもよい。
【００３４】
例えば、基地局は、セル＃Ｘのアクティベーション／ディアクティベーション用の制御信号としてＭＡＣ制御要素又はＤＣＩのいずれか一方を設定し、セル＃Ｙのアクティベーション／ディアクティベーション用の制御信号としてＭＡＣ制御要素及びＤＣＩの両方の制御信号を設定してもよい。
【００３５】
＜オプション３＞
オプション３では、アクティベーション／ディアクティベーションが行われるセルに対して、当該アクティベーション／ディアクティベーションの指示に利用する制御信号の種別を特に設定しない。
【００３６】
基地局は、所定セルのアクティベーション／ディアクティベーションの指示に利用する制御信号に関する情報をＵＥに通知しない。この場合、ＵＥは、所定セルに対するアクティベーション／ディアクティベーションがＭＡＣ制御要素及びＤＣＩの少なくとも一方で指示されると想定してもよい。
【００３７】
図１にＤＣＩを利用して各セルのアクティベーション／ディアクティベーションを指示する場合の一例を示す。図１では、ＣＣ＃１−ＣＣ＃５がＵＥに設定される場合を示すが、ＵＥに設定されるＣＣ数、ＣＣインデックスはこれに限られない。なお、図１は、オプション１（例えば、ＣＣ＃２−ＣＣ＃５についてＤＣＩが制御信号として設定された場合）、オプション２、又はオプション３において利用できる。
【００３８】
図１では、ＣＣ＃２、ＣＣ＃３のアクティベーションを指示するＤＣＩがＣＣ＃１で送信され、ＣＣ＃４、ＣＣ＃５のアクティベーションを指示するＤＣＩがＣＣ＃２で送信される場合を示している。また、ＣＣ＃２、ＣＣ＃３、ＣＣ＃４、ＣＣ＃５のディアクティベーションを指示するＤＣＩがＣＣ＃１で送信される場合を示している。アクティベーション／ディアクティベーション用のＤＣＩは、アクティブ状態のＣＣの下り制御チャネル（例えば、ＰＤＣＣＨ）を利用して送信される。なお、アクティベーション／ディアクティベーション用のＭＡＣ制御要素は、アクティブ状態のＣＣの下り共有チャネル（例えば、ＰＤＳＣＨ）を利用して送信される。
【００３９】
基地局は、ＵＥに対して、ＣＣ＃２、ＣＣ＃３のアクティベーション用のＤＣＩのモニタを行うＣＣがＣＣ＃１であることを上位レイヤ等を用いて通知する。また、基地局は、ＵＥに対して、ＣＣ＃４、ＣＣ＃５のアクティベーション用のＤＣＩのモニタを行うＣＣがＣＣ＃２であることを上位レイヤ等を用いて通知する。また、基地局は、ＵＥに対して、ＣＣ＃２−ＣＣ＃５のディアクティベーション用のＤＣＩのモニタを行うＣＣがＣＣ＃２であることを上位レイヤ等を用いて通知する。
【００４０】
ＵＥは、基地局から通知された情報に基づいて、各ＣＣにおけるアクティベーション／ディアクティベーション用のＤＣＩの受信処理（例えば、モニタ）を制御する。図１では、ＵＥは、ＣＣ＃１とＣＣ＃２（アクティブ状態の場合）において、アクティベーション／ディアクティベーション用のＤＣＩのモニタを行えばよい。一方で、ＵＥは、ＣＣ＃３−ＣＣ＃５において、アクティベーション／ディアクティベーション用のＤＣＩのモニタを行わない構成としてもよい。
【００４１】
このように、各ＣＣのアクティベーション／ディアクティベーション指示用のＤＣＩが送信されるＣＣを設定することにより、ＵＥの受信処理の負荷を低減すると共に、各ＣＣのアクティベーション／ディアクティベーションを適切に制御できる。
【００４２】
図１では、各ＣＣのアクティベーション／ディアクティベーションを指示するＤＣＩが他の１つのＣＣで送信される場合を示しているが、これに限られない。例えば、ＣＣ＃４、ＣＣ＃５のアクティベーションを指示するＤＣＩがＣＣ＃２だけでなく、ＣＣ＃１（又はＣＣ＃３）で送信されるＤＣＩで指示される構成としてもよい。また、ＣＣ＃４、ＣＣ＃５のディアクティベーションを指示するＤＣＩがＣＣ＃１だけでなく、ＣＣ＃２又はＣＣ＃３で送信されるＤＣＩで指示される構成としてもよい。
【００４３】
このように、各ＣＣのアクティベーション／ディアクティベーションを指示するＤＣＩが複数のＣＣで送信される構成とすることにより、アクティベーション／ディアクティベーションの指示を柔軟に制御することができる。また、所定ＣＣにアクティベーション／ディアクティベーション指示用のＤＣＩが局所的に集中することを抑制できる。
【００４４】
あるいは、他のＣＣのアクティベーションを指示するＤＣＩが送信されるＣＣ（又は、他のＣＣのアクティベーションを指示するＤＣＩをＵＥがモニタするＣＣ）は、ディアクティブ化されない構成としてもよい。また、他のＣＣのディアクティベーションを指示するＤＣＩが送信されるＣＣ（又は、他のＣＣのディアクティベーションを指示するＤＣＩをＵＥがモニタするＣＣ）は、ディアクティブ化されない構成としてもよい。
【００４５】
例えば、図１におけるＣＣ＃１は、他のＣＣのＤＣＩによりアクティベーション／ディアクティベーションされない構成（例えば、プライマルセル、ＰＳＣｅｌｌ、又はＰＵＣＣＨ  ＳＣｅｌｌ）としてもよい。この場合、ＣＣ＃１を利用して、他のＣＣ＃２−ＣＣ＃５のアクティベーション／ディアクティベーションを少なくとも指示できる構成としてもよい。これにより、ＣＣ＃１で送信されるＤＣＩを利用して他のＣＣのアクティベーション／ディアクティベーションを適切に行うことが可能となる。
【００４６】
あるいは、他のＣＣのアクティベーション／ディアクティベーションを指示するＤＣＩが送信されるＣＣは、他のＣＣで送信される他のＤＣＩによりアクティブ化及びディアクティブ化の少なくとも一方が指示されない構成としてもよい。
【００４７】
例えば、図１では、ＣＣ＃２（又は、ＣＣ＃３）で送信されるアクティベーション／ディアクティベーション用のＤＣＩにより、ＣＣ＃４、ＣＣ＃５のアクティブ化が制御される。この場合、ＵＥは、アクティベーション／ディアクティベーション用のＤＣＩをモニタするＣＣ＃２（又は、ＣＣ＃３）は、他のＣＣで送信されるＤＣＩによりアクティブ化及びディアクティブ化が指示されないと想定してもよい。
【００４８】
この場合、ＣＣ＃２（又は、ＣＣ＃３）のアクティベーション／ディアクティベーションは、ＭＡＣ制御要素及びタイマの少なくとも一方を利用して行う構成としてもよい（図２参照）。図２では、ＣＣ＃２とＣＣ＃３のアクティベーション／ディアクティベーションをＤＣＩで行わずにＭＡＣ制御要素で行う場合を示している。この場合、ＣＣ＃２（又は、ＣＣ＃３）のアクティベーション／ディアクティベーションとしてＭＡＣ制御要素を設定すればよい（上記オプション１）。
【００４９】
このように、各セルのアクティベーション／ディアクティベーション指示用の制御信号を設定してＵＥに通知することにより、複数の制御信号を利用する場合であってもアクティベーション／ディアクティベーションを適切に制御することができる。
【００５０】
（第２の態様）
第２の態様は、所定セルのアクティベーション／ディアクティベーション制御を第１の制御信号（例えば、ＭＡＣ制御要素）と第２の制御信号（例えば、ＤＣＩ）の一方のみ行う場合（オプション１）に、タイマ制御も組み合わせて適用する。なお、以下の説明では、所定セルのアクティベーション／ディアクティベーション制御をＤＣＩとＭＡＣ制御要素の一方のみ行う場合（オプション１）を示すが、両方が設定される場合（オプション２）にも適宜利用してもよい。
【００５１】
＜ＤＣＩ設定時＞
所定セルのアクティベーション／ディアクティベーション用の制御信号としてＤＣＩが設定される場合、当該所定セルのディアクティベーションを制御するタイマ（ディアクティベーションタイマ）を以下の通り制御する。
【００５２】
［開始タイミング／再スタートタイミング］
ＵＥが所定セルのアクティベーションを指示するＤＣＩを受信した場合、当該ＤＣＩを受信したタイミングからディアクティベーションタイマを開始する。例えば、ＵＥは、所定スロットにおいてアクティベーションを指示するＤＣＩを受信した場合、当該所定スロット（例えば、所定スロットの開始位置）からディアクティベーションタイマを開始し、所定セルのアクティブ化を行う。所定セルのアクティブ化のタイミングは、タイマを開始するスロットと同じであってもよいし、タイマを開始するスロットと異なるスロット（例えば、次スロット以降）であってもよい。
【００５３】
図３は、ＣＣ＃２のアクティベーション／ディアクティベーションを指示するＤＣＩがＣＣ＃１で送信される場合を示している。ＵＥは、ＣＣ＃１においてアクティベーション／ディアクティベーション用のＤＣＩをモニタし、ＤＣＩの受信に基づいてＣＣ＃２のアクティベーション／ディアクティベーションを制御する。
【００５４】
図３では、ＣＣ＃２のアクティベーションを指示するＤＣＩがスロット＃０で送信される場合を示している。当該ＤＣＩを受信したＵＥは、スロット＃１からＣＣ＃２をアクティブ化するように制御すると共に、スロット＃０においてＣＣ＃２のディアクティベーションタイマを開始する。
【００５５】
また、所定セルのアクティベーション用のＤＣＩを受信した時点で当該所定セルに対するディアクティベーションタイマが起動中の場合、ＵＥはディアクティベーションタイマを再スタート（又は、再起動）してもよい。
【００５６】
あるいは、ＵＥは、アクティブ状態のＣＣに対応する下り制御チャネル（例えば、ＰＤＣＣＨ）により、当該ＣＣにおけるＤＬ割当て（例えば、ＤＬ  ａｓｓｉｇｎｍｅｎｔ）又はＵＬ送信指示（例えば、ＵＬ  ｇｒａｎｔ）が指示された場合、当該ＣＣのディアクティベーションタイマを再スタートしてもよい。アクティブ状態のＣＣに対応するＰＤＣＣＨは、当該ＣＣで送信されるＰＤＣＣＨであってもよいし、当該ＣＣのスケジューリング（クロスキャリアスケジューリング）を制御する他のＣＣ（サービングセル）で送信されるＰＤＣＣＨであってもよい。
【００５７】
図３では、ＣＣ＃２に対するディアクティベーションタイマがスロット＃０で開始され、ＣＣ＃２においてアクティブ状態のＣＣ＃２のＰＤＣＣＨでＤＬ割当て又はＵＬ送信指示用のＤＣＩが送信される場合を示している。この場合、ＵＥは、ＣＣ＃２に対するディアクティベーションタイマを再スタート（又は、再起動）してもよい。
【００５８】
なお、開始タイミング／再スタートタイミングとして、アクティベーション／ディアクティベーションを指示するＤＣＩの受信タイミングを使うのではなく、アクティベーション／ディアクティベーションを指示するＤＣＩに対する送達確認信号（Ａｃｋｎｏｗｌｅｄｇｅｍｅｎｔ、またはＡＣＫ）を送信するタイミングを利用してもよい。ＵＥは、アクティベーション／ディアクティベーションを指示するＤＣＩを受信したら、所定のタイミングで当該ＤＣＩに対する送達確認信号（Ａｃｋｎｏｗｌｅｄｇｅｍｅｎｔ、またはＡＣＫ）を送信すると同時に、前記送達確認信号（Ａｃｋｎｏｗｌｅｄｇｅｍｅｎｔ、またはＡＣＫ）を送信したタイミングで当該ＣＣのディアクティベーションタイマを再スタートし、かつ前記送達確認信号（Ａｃｋｎｏｗｌｅｄｇｅｍｅｎｔ、またはＡＣＫ）を送信したタイミングから所定の時間後（例えば１スロット）に、アクティベーションを完了させてもよい。送達確認信号（Ａｃｋｎｏｗｌｅｄｇｅｍｅｎｔ、またはＡＣＫ）のタイミングを基準にアクティベーションやタイマの再スタートタイミングを決定することで、基地局と端末間の認識をより確実にすることができる。
【００５９】
［停止タイミング］
ＵＥが所定セルのディアクティベーションを指示するＤＣＩを受信した場合、当該ＤＣＩの受信に基づいてディアクティベーションタイマを停止（ストップ）する。例えば、ＵＥは、所定スロットにおいてディアクティベーションを指示するＤＣＩを受信した場合、当該所定スロットにおいてディアクティベーションタイマを停止し、所定セルのディアクティブ化を行う。所定セルのディアクティブ化のタイミングは、タイマを停止するスロットと同じであってもよいし、タイマを停止するスロットと異なるスロット（例えば、次スロット以降）であってもよい。
【００６０】
また、ＵＥは、ディアクティベーションタイマを開始（又は、再スタート）してから所定期間経過後にディアクティベーションタイマが満了した場合に、タイマを停止してもよい。図３では、ＣＣ＃２に対するディアクティベーションタイマがスロット＃５で満了し、ＵＥがスロット＃６からＣＣ＃２をディアクティブ化する場合を示している。
【００６１】
なお、ディアクティベーションタイマを停止（ストップ）、及び、又は、ディアクティベーションを完了するタイミングは、前記所定セルのディアクティベーションを指示するＤＣＩに対する送達確認信号（Ａｃｋｎｏｗｌｅｄｇｅｍｅｎｔ、またはＡＣＫ）を送信したタイミングを基準に規定してもよい。送達確認信号（Ａｃｋｎｏｗｌｅｄｇｅｍｅｎｔ、またはＡＣＫ）のタイミングを基準にディアクティベーションのタイミングを決定することで、基地局と端末間の認識をより確実にすることができる。
【００６２】
［タイマ非適用］
あるいは、ＤＣＩを利用したセルのアクティベーション／ディアクティベーションが設定される場合、ディアクティベーションタイマが設定されない、又は無限大（infinite）に設定される構成としてもよい。例えば、ＵＥは、所定セルに対してＤＣＩベースのアクティベーション／ディアクティベーションが設定された場合に、当該所定セルにおいてディアクティベーションタイマに基づくディアクティブ化を行わないと想定してもよい。
【００６３】
この場合、所定セルに対するディアクティベーションの指示は、タイマを利用せずにＤＣＩ（又は、ＤＣＩ又はＭＡＣ制御要素）の通知により行われる構成としてもよい。これにより、ＵＥはタイマによるディアクティベーション動作を行わなくてよくなるため、ＵＥのディアクティベーション動作を簡略化することができる。
【００６４】
＜ＭＡＣ制御要素設定時＞
所定セルのアクティベーション／ディアクティベーション用の制御信号としてＭＡＣ制御要素が設定される場合、当該所定セルのディアクティベーションを制御するタイマ（ディアクティベーションタイマ）を以下の通り制御する。
【００６５】
［開始タイミング／再スタートタイミング］
ＵＥが所定セルのアクティベーションを指示するＭＡＣ制御要素を受信した場合、当該ＭＡＣ制御要素を受信したタイミングからディアクティベーションタイマを開始する。例えば、ＵＥは、所定スロットにおいてアクティベーションを指示するＭＡＣ制御要素を受信した場合、当該所定スロット（例えば、所定スロットの開始位置）からディアクティベーションタイマを開始し、所定スロットから所定期間後に所定セルのアクティブ化を行う。
【００６６】
また、所定セルのアクティベーション用のＭＡＣ制御要素を受信した時点で当該所定セルに対するディアクティベーションタイマが起動中の場合、ＵＥはディアクティベーションタイマを再スタート（又は、再起動）してもよい。
【００６７】
あるいは、ＵＥは、アクティブ状態のＣＣに対応する下り制御チャネル（例えば、ＰＤＣＣＨ）により、当該ＣＣにおけるＤＬ割当て（例えば、ＤＬ  ａｓｓｉｇｎｍｅｎｔ）又はＵＬ送信指示（例えば、ＵＬ  ｇｒａｎｔ）が指示された場合、当該ＣＣのディアクティベーションタイマを再スタートしてもよい。アクティブ状態のＣＣに対応するＰＤＣＣＨは、当該ＣＣで送信されるＰＤＣＣＨであってもよいし、当該ＣＣのスケジューリング（クロスキャリアスケジューリング）を制御する他のＣＣ（サービングセル）で送信されるＰＤＣＣＨであってもよい。
【００６８】
また、ＭＡＣ  ＰＤＵがＵＬグラントで送信される、又はＤＬ割当てで受信した場合に、ディアクティベーションタイマを再スタートしてもよい。
【００６９】
［停止タイミング］
ＵＥが所定セルのディアクティベーションを指示するＭＡＣ制御要素を受信した場合、当該ＭＡＣ制御要素の受信に基づいてディアクティベーションタイマを停止（ストップ）する。例えば、ＵＥは、所定スロットにおいてディアクティベーションを指示するＭＡＣ制御要素を受信した場合、当該所定スロットにおいてディアクティベーションタイマを停止し、所定スロットから所定期間後に所定セルのディアクティブ化を行う。
【００７０】
また、ＵＥは、ディアクティベーションタイマを開始（又は、再スタート）してから所定期間経過後にディアクティベーションタイマが満了した場合に、タイマを停止してもよい。
【００７１】
このように、制御信号によるアクティベーション／ディアクティベーションの指示と、タイマによるディアクティベーションを組み合わせて適用することにより、セルのアクティベーション／ディアクティベーションを柔軟に制御できる。
【００７２】
（第３の態様）
第３の態様は、所定セルのアクティベーション／ディアクティベーション制御を第１の制御信号（例えば、ＭＡＣ制御要素）と第２の制御信号（例えば、ＤＣＩ）の両方を利用して行う場合（オプション２）について説明する。
【００７３】
ＵＥは、所定セルに対してＤＣＩベースとＭＡＣベースのアクティベーション／ディアクティベーションの両方が設定された場合、ＤＣＩによる通知、又はＭＡＣ制御要素による通知に基づいて所定セルのアクティベーション／ディアクティベーションを制御する。
【００７４】
一方で、アクティベーション／ディアクティベーションの通知に２種類の制御信号が利用される場合、２種類の制御信号の指示内容が重複（又は、衝突）するケースも考えられる。かかる場合に、セルのアクティベーション／ディアクティベーションをどのように制御するかが問題となる。第３の態様では、このような問題を解決するための動作（例えば、ＵＥ動作）を以下に示す。
【００７５】
＜衝突ケース＞
２種類の制御信号の指示内容が重複（又は、衝突）するケースとして、アクティベーション／ディアクティベーションを指示するＭＡＣ制御情報とＤＣＩが同じ送信期間（例えば、スロット）で送信されるケース（ケース０）がある。
【００７６】
また、アクティベーション／ディアクティベーションを指示する制御信号を受信してから、実際にセルのアクティベーション／ディアクティベーションを行うタイミング（実効時間とも呼ぶ）までにある程度の期間が必要となる場合もある。この場合、ある制御信号の受信タイミングから当該制御信号に対応する実効時間（effective  time）までの間に他の制御信号を受信するケース等も考えられる。かかるケースにおいても、ＤＣＩの指示内容とＭＡＣ制御要素の指示内容が重複（又は、衝突）することが考えられる。
【００７７】
このように、所定セルに対するアクティベーション／ディアクティベーションの指示内容が重複（又は、衝突）するＤＣＩとＭＡＣ制御要素を受信するケースとして以下のケース１−３が考えられる。以下に、各ケースの一例と、それに対するＵＥ動作等について説明する。
【００７８】
［ケース１］
ＵＥがＤＣＩより早くＭＡＣ制御要素を受信するが、ＭＡＣ制御要素で指示されたセルのアクティベーション／ディアクティベーションの実効時間が、ＤＣＩで指示されたセルのアクティベーション／ディアクティベーションの実効時間と同じであるケースが考えられる（図４参照）。アクティベーション／ディアクティベーションの実効時間は、制御信号を受信したＵＥが実際にアクティベーション／ディアクティベーションを実行する時間（例えば、タイミング）を指す。
【００７９】
図４では、ＵＥが所定の送信期間（例えば、スロット＃０）において所定セルのアクティベーション／ディアクティベーションを指示するＭＡＣ制御要素を受信し、スロット＃６において所定セルのアクティベーション／ディアクティベーションを指示するＤＣＩを受信する場合を示している。また、ＭＡＣ制御要素の実効時間とＤＣＩの実効時間が同じスロット＃８となる場合を示している。
【００８０】
ＵＥは、スロット＃８において、ＭＡＣ制御要素で指示されたアクティベーション／ディアクティベーション動作と、ＤＣＩで指示されたアクティベーション／ディアクティベーション動作を行うことになる。
【００８１】
この場合、ＭＡＣ制御要素で通知される内容とＤＣＩで通知される内容が同じである場合には、指示内容が衝突しない。例えば、ディアクティブ状態の所定セルに対して、ＭＡＣ制御要素で通知される内容がアクティベーション、ＤＣＩで通知される内容がアクティベーションである場合には、所定セルのアクティブ化を行う。また、アクティブ状態の所定セルに対して、ＭＡＣ制御要素で通知される内容がディアクティベーション、ＤＣＩで通知される内容がディアクティベーションである場合には、所定セルのディアクティブ化を行う。
【００８２】
一方で、ＭＡＣ制御要素で通知される内容とＤＣＩで通知される内容が異なる場合には、指示内容が衝突する。例えば、ディアクティブ状態の所定セルに対して、ＭＡＣ制御要素で通知される内容がアクティベーション、ＤＣＩで通知される内容がディアクティベーションである場合には、所定セルについてアクティブ化とディアクティブ化のいずれを行うかが問題となる。また、アクティブ状態の所定セルに対して、ＭＡＣ制御要素で通知される内容がディアクティベーション、ＤＣＩで通知される内容がアクティベーションである場合には、所定セルについてアクティブ化とディアクティブ化のいずれを行うかが問題となる。
【００８３】
［ケース２］
ＵＥがＤＣＩより早くＭＡＣ制御要素を受信するが、ＭＡＣ制御要素で指示されたセルのアクティベーション／ディアクティベーションの実効時間が、ＤＣＩで指示されたセルのアクティベーション／ディアクティベーションの実効時間より遅くなるケースが考えられる（図５参照）。
【００８４】
図５では、ＵＥがスロット＃０において所定セルのアクティベーション／ディアクティベーションを指示するＭＡＣ制御要素を受信し、スロット＃３において所定セルのアクティベーション／ディアクティベーションを指示するＤＣＩを受信する場合を示している。また、ＭＡＣ制御要素の実効時間がスロット＃８、ＤＣＩの実効時間がスロット＃５となる場合を示している。
【００８５】
ＵＥは、スロット＃５において、ＤＣＩで指示されたアクティベーション／ディアクティベーション動作を行い、スロット＃８において、ＭＡＣ制御要素で指示されたアクティベーション／ディアクティベーション動作を行うことになる。
【００８６】
この場合、ＭＡＣ制御要素で通知される内容とＤＣＩで通知される内容が同じである場合には、指示内容が衝突しない。例えば、ディアクティブ状態の所定セルに対して、ＭＡＣ制御要素で通知される内容がアクティベーション、ＤＣＩで通知される内容がアクティベーションである場合には、スロット＃５、＃８においてそれぞれ所定セルのアクティブ化を行う。また、アクティブ状態の所定セルに対して、ＭＡＣ制御要素で通知される内容がディアクティベーション、ＤＣＩで通知される内容がディアクティベーションである場合には、スロット＃５、＃８においてそれぞれ所定セルのディアクティブ化を行う。
【００８７】
一方で、ＭＡＣ制御要素で通知される内容とＤＣＩで通知される内容が異なる場合には、指示内容が衝突する。例えば、ディアクティブ状態の所定セルに対して、ＭＡＣ制御要素で通知される内容がアクティベーション、ＤＣＩで通知される内容がディアクティベーションである場合を想定する。この場合、ＵＥは、スロット＃５において所定セルのディアクティブ化を行い、スロット＃８において所定セルのアクティブ化を行うことになり、指示内容が衝突する。
【００８８】
また、アクティブ状態の所定セルに対して、ＭＡＣ制御要素で通知される内容がディアクティベーション、ＤＣＩで通知される内容がアクティベーションである場合を想定する。この場合、ＵＥは、スロット＃５において所定セルのアクティブ化を行い、スロット＃８において所定セルのディアクティブ化を行うことになり、指示内容が衝突する。
【００８９】
［ケース３］
ＵＥがＤＣＩより遅くＭＡＣ制御要素を受信し、ＭＡＣ制御要素で指示されたセルのアクティベーション／ディアクティベーションの実効時間が、ＤＣＩで指示されたセルのアクティベーション／ディアクティベーションの実効時間より遅くなるケースが考えられる（図６参照）。
【００９０】
図６では、ＵＥがスロット＃０において所定セルのアクティベーション／ディアクティベーションを指示するＤＣＩを受信し、スロット＃１において所定セルのアクティベーション／ディアクティベーションを指示するＭＡＣ制御要素を受信する場合を示している。また、ＤＣＩの実効時間がスロット＃２、ＭＡＣ制御要素の実効時間がスロット＃９となる場合を示している。
【００９１】
ＵＥは、スロット＃２において、ＤＣＩで指示されたアクティベーション／ディアクティベーション動作を行い、スロット＃９において、ＭＡＣ制御要素で指示されたアクティベーション／ディアクティベーション動作を行うことになる。
【００９２】
この場合、ＭＡＣ制御要素で通知される内容とＤＣＩで通知される内容が同じである場合には、指示内容が衝突しない。例えば、ディアクティブ状態の所定セルに対して、ＤＣＩで通知される内容がアクティベーション、ＭＡＣ制御要素で通知される内容がアクティベーションである場合には、スロット＃２、＃９においてそれぞれ所定セルのアクティブ化を行う。また、アクティブ状態の所定セルに対して、ＤＣＩで通知される内容がディアクティベーション、ＭＡＣ制御要素で通知される内容がディアクティベーションである場合には、スロット＃２、＃９においてそれぞれ所定セルのディアクティブ化を行う。
【００９３】
一方で、ＭＡＣ制御要素で通知される内容とＤＣＩで通知される内容が異なる場合には、指示内容が衝突する。例えば、ディアクティブ状態の所定セルに対して、ＤＣＩで通知される内容がアクティベーション、ＭＡＣ制御要素で通知される内容がディアクティベーションである場合を想定する。この場合、ＵＥは、スロット＃２において所定セルのアクティブ化を行い、スロット＃９において所定セルのディアクティブ化を行うことになり、指示内容が衝突する。なお、ここでは、ＤＣＩより後に送信されるＭＡＣ制御要素の実効時間がＤＣＩの実効時間より遅くなるため、ＤＣＩの指示内容がＭＡＣ制御要素の指示内容によって上書き（override）されると考えてもよい。
【００９４】
また、アクティブ状態の所定セルに対して、ＤＣＩで通知される内容がディアクティベーション、ＭＡＣ制御要素で通知される内容がアクティベーションである場合を想定する。この場合、ＵＥは、スロット＃２において所定セルのディアクティブ化を行い、スロット＃８において所定セルのアクティブ化を行うことになり、指示内容が衝突する。なお、ここでは、ＤＣＩより後に送信されるＭＡＣ制御要素の実効時間がＤＣＩの実効時間より遅くなるため、ＤＣＩの指示内容がＭＡＣ制御要素の指示内容によって上書き（override）されると考えてもよい。
【００９５】
このように、ＭＡＣ制御要素とＤＣＩの指示内容が異なる場合、アクティブ化とディアクティブ化のいずれを行うかが問題となる。あるいは、ＭＡＣ制御要素とＤＣＩの指示内容が同じ場合であっても、アクティベーション／ディアクティベーションを適用するタイミングをどのように制御するかが問題となる。
【００９６】
そのため、上記ケース０−３について、ＵＥは以下の動作（オプション０、オプション１−１〜オプション１−６、オプション２）を行ってもよい。
【００９７】
＜オプション０＞
ＵＥは、ケース０において、所定セルのアクティベーション／ディアクティベーションを指示するＤＣＩとＭＡＣ制御要素とを同時に（例えば、同じスロットにおいて）受信しないと想定してもよい。つまり、所定セルのアクティベーション／ディアクティベーションを指示するＤＣＩとＭＡＣ制御要素が同時に送信されないと想定して制御する。
【００９８】
この場合、ネットワーク（例えば、基地局）側において、所定セルのアクティベーション／ディアクティベーションを指示するＤＣＩとＭＡＣ制御要素がＵＥに同時（例えば、同じスロット又は同じシンボルで）に送信されないように制御すればよい。これにより、ＵＥは、基地局から送信されるアクティベーション／ディアクティベーションを指示するＤＣＩ又はＭＡＣ制御要素に基づいて、所定セルのアクティブ化／ディアクティブ化を適切に制御できる。
【００９９】
また、ＵＥは、ケース１−ケース３に示すように、所定セルに対するアクティベーション／ディアクティベーションの指示内容が衝突するようなＤＣＩとＭＡＣ制御要素を受信しない（又は、送信されない）と想定してもよい。
【０１００】
仮にＵＥが所定セルに対するアクティベーション／ディアクティベーションの指示内容が衝突するようなＤＣＩとＭＡＣ制御要素を受信した場合（上記ケース１−３の少なくとも一つ）、エラーケース（error  case）と判断してもよい。つまり、ＵＥは、所定セルのアクティベーション／ディアクティベーションを指示するＤＣＩの指示とＭＡＣ制御要素の指示が重複する場合、所定セルのアクティベーション／ディアクティベーション動作を行わないように制御する。
【０１０１】
なお、ＵＥは、ケース０、ケース１−３（図４−図６）において、ＤＣＩの指示内容とＭＡＣ制御要素の指示内容が異なる場合にのみオプション０を適用してもよい。あるいは、ＵＥは、ケース０、ケース１−３（図４−図６）において、ＤＣＩの指示内容とＭＡＣ制御要素の指示内容が異なる場合だけでなく、指示内容が同じ場合についてもオプション０を適用してもよい。つまり、ある制御信号の受信タイミングから当該制御信号に対応する実効時間までの間に他の制御信号を受信する場合にオプション０を適用してもよい。以下のオプション１−１〜オプション１−６、オプション２についても同様である。
【０１０２】
＜オプション１＞
ＵＥは、所定セルに対するアクティベーション／ディアクティベーションの指示内容が衝突するようなＤＣＩとＭＡＣ制御要素を受信するケース（例えば、ケース０−３の少なくとも一つ）を想定する。つまり、所定セルのアクティベーション／ディアクティベーションを指示するＤＣＩとＭＡＣ制御要素が同時に送信されるケース、又は指示内容が重複するケースを許容（サポート）する。かかる場合、ＵＥは以下のオプション１−１〜１−６、オプション２の少なくとも一つを行う。
【０１０３】
＜オプション１−１＞
ＵＥは、所定セルに対するアクティベーション／ディアクティベーションの指示内容が衝突（又は、重複）するＤＣＩとＭＡＣ制御要素を受信した場合、ＭＡＣ制御要素の指示内容に従う構成とする。これにより、より簡便かつＬＴＥと共通の制御でアクティベーション／ディアクティベーションを行う方法を優先できるため、アクティベーション／ディアクティベーション制御を簡単化できる。
【０１０４】
また、ＤＣＩとＭＡＣ制御要素の指示内容が同じ場合には、ＭＡＣ制御要素の実効時間に従ってアクティブ化又はディアクティブ化を制御すればよい。
【０１０５】
＜オプション１−２＞
ＵＥは、所定セルに対するアクティベーション／ディアクティベーションの指示内容が衝突するＤＣＩとＭＡＣ制御要素を受信した場合、ＤＣＩの指示内容に従う構成とする。これにより、ＭＡＣ制御要素より動的に制御できるＤＣＩに基づいて所定セルのアクティベーション／ディアクティベーションをＵＥに指示できるため、ケース１、ケース２において最新の指示内容に基づいて所定セルのアクティブ化／ディアクティブ化を行うことができる。また、ＭＡＣ制御要素に比べてより短い時間で復号処理が可能なＤＣＩの指示を優先することで、高速に所定セルのアクティベーション／ディアクティベーションを制御することができる。
【０１０６】
また、ＤＣＩとＭＡＣ制御要素の指示内容が同じ場合には、ＤＣＩの実効時間に従ってアクティブ化又はディアクティブ化を制御すればよい。
【０１０７】
＜オプション１−３＞
ＵＥは、所定セルに対するアクティベーション／ディアクティベーションの指示内容が衝突するＤＣＩとＭＡＣ制御要素を受信した場合、後に受信した制御信号（受信した最新の制御信号）の指示内容に従う構成とする。これにより、基地局が指示した最新の指示内容に基づいて所定セルのアクティブ化／ディアクティブ化を行うことができる。
【０１０８】
また、ＤＣＩとＭＡＣ制御要素の指示内容が同じ場合には、後に受信した制御信号の実効時間に従ってアクティブ化又はディアクティブ化を制御すればよい。
【０１０９】
＜オプション１−４＞
ＵＥは、所定セルに対するアクティベーション／ディアクティベーションの指示内容が衝突するＤＣＩとＭＡＣ制御要素を受信した場合、実効時間が遅い制御信号の指示内容に従う構成とする。これにより、衝突ケースが頻発する環境において、頻繁にアクティベーション／ディアクティベーションが切り替わるのを回避することができ、その結果ＵＥの消費電力を抑えることができる。
【０１１０】
また、ＤＣＩとＭＡＣ制御要素の指示内容が同じ場合には、実効時間が遅い制御信号のに従ってアクティブ化又はディアクティブ化を制御すればよい。
【０１１１】
＜オプション１−５＞
ＵＥは、所定セルに対するアクティベーション／ディアクティベーションの指示内容が衝突するＤＣＩとＭＡＣ制御要素を受信した場合、指示内容（アクティベーション）を優先して、所定セルのアクティブ化を行う。
【０１１２】
例えば、ＵＥは、指示内容が衝突するＤＣＩとＭＡＣ制御要素を受信した場合、ＤＣＩがアクティベーションを指示し、ＭＡＣ制御要素がディアクティベーションを指示する場合、ＤＣＩの指示内容を優先する。また、ＵＥは、指示内容が衝突するＤＣＩとＭＡＣ制御要素を受信した場合、ＤＣＩがディアクティベーションを指示し、ＭＡＣ制御要素がアクティベーションを指示する場合、ＭＡＣ制御要素の指示内容を優先する。
【０１１３】
これにより、所定セルが不要にディアクティブになる確率を下げることができ、スループットの低下を回避できる。
【０１１４】
＜オプション１−６＞
ＵＥは、所定セルに対するアクティベーション／ディアクティベーションの指示内容が衝突するＤＣＩとＭＡＣ制御要素を受信した場合、指示内容（ディアクティベーション）を優先して、所定セルのディアクティブ化を行う。
【０１１５】
例えば、ＵＥは、指示内容が衝突するＤＣＩとＭＡＣ制御要素を受信した場合、ＤＣＩがアクティベーションを指示し、ＭＡＣ制御要素がディアクティベーションを指示する場合、ＭＡＣ制御要素の指示内容を優先する。また、ＵＥは、指示内容が衝突するＤＣＩとＭＡＣ制御要素を受信した場合、ＤＣＩがディアクティベーションを指示し、ＭＡＣ制御要素がアクティベーションを指示する場合、ＤＣＩの指示内容を優先する。
【０１１６】
これにより、所定セルが不要にアクティブになる確率を下げることができ、消費電力の増加を回避できる。
【０１１７】
＜オプション２＞
ＵＥは、所定セルに対するアクティベーション／ディアクティベーションの指示内容が衝突するＤＣＩとＭＡＣ制御要素を受信した場合、いずれの制御信号の指示に従うかをＵＥが自律的に決定する。
【０１１８】
基地局は、当該セルを利用したＵＬ信号の受信有無等に基づいてＵＥが選択した内容を判断してもよい。すなわち基地局は、ＵＥが所定セルをアクティベーションしたと想定した場合とディアクティベーションしたと想定した場合のＵＬ信号（例えばＣＳＩ報告、ＳＲＳ送信など）の両方を想定した受信処理（例えば、復号処理等）を行い、その結果をもとに、ＵＥが選択した内容を判断する。
【０１１９】
このように、２種類の制御信号の指示が重複（又は、衝突）する場合であっても、所定条件に基づいてＵＥ動作をすることにより、所定セルのアクティベーション／ディアクティベーションを適切に行うことができる。
【０１２０】
（変形例１）
上記第３の態様では、所定セルに対するアクティベーション／ディアクティベーションの指示内容の衝突ケースとして、ＤＣＩとＭＡＣ制御要素の例を示したがこれに限られない。例えば、ＤＣＩを利用してセルのアクティベーション／ディアクティベーションを指示する場合、ＤＣＩ毎に実効時間が異なって設定される場合も想定される。
【０１２１】
この場合、あるＤＣＩの受信タイミングから当該ＤＣＩに対応する実効時間までの間に他のＤＣＩを受信するケース等も考えられる。かかるケースでは、複数のＤＣＩの指示内容が重複（又は、衝突）することが考えられる。
【０１２２】
所定セルに対するアクティベーション／ディアクティベーションの指示内容が衝突（又は、重複）する複数のＤＣＩ（例えば、第１のＤＣＩと第２のＤＣＩ）を受信するケースとして以下のケース１’−ケース３’が考えられる。
【０１２３】
［ケース１’］
ＵＥが第２のＤＣＩ（ＤＣＩ＃２）より早く第１のＤＣＩ（ＤＣＩ＃１）を受信するが、第１のＤＣＩで指示されたセルのアクティベーション／ディアクティベーションの実効時間が、第２のＤＣＩで指示されたセルのアクティベーション／ディアクティベーションの実効時間と同じであるケースが考えられる（図７参照）。
【０１２４】
図７では、ＵＥが所定の送信期間（ここでは、スロット＃４）において所定セルのアクティベーション／ディアクティベーションを指示する第１のＤＣＩを受信し、スロット＃６において所定セルのアクティベーション／ディアクティベーションを指示する第２のＤＣＩを受信する場合を示している。また、第１のＤＣＩの実効時間と第２のＤＣＩの実効時間が同じスロット＃８となる場合を示している。
【０１２５】
ＵＥは、スロット＃８において、第１のＤＣＩで指示されたアクティベーション／ディアクティベーション動作と、第２のＤＣＩで指示されたアクティベーション／ディアクティベーション動作を行うことになる。
【０１２６】
この場合、第１のＤＣＩで通知される内容と第２のＤＣＩで通知される内容が同じである場合には、指示内容が衝突しない。例えば、ディアクティブ状態の所定セルに対して、第１のＤＣＩで通知される内容がアクティベーション、第２のＤＣＩで通知される内容がアクティベーションである場合には、所定セルのアクティブ化を行う。また、アクティブ状態の所定セルに対して、第１のＤＣＩで通知され内容がディアクティベーション、第２のＤＣＩで通知される内容がディアクティベーションである場合には、所定セルのディアクティブ化を行う。
【０１２７】
一方で、第１のＤＣＩで通知される内容と第２のＤＣＩで通知される内容が異なる場合には、指示内容が衝突する。例えば、ディアクティブ状態の所定セルに対して、第１のＤＣＩで通知される内容がアクティベーション、第２のＤＣＩで通知される内容がディアクティベーションである場合には、所定セルについてアクティブ化とディアクティブ化のいずれを行うかが問題となる。また、アクティブ状態の所定セルに対して、第１のＤＣＩで通知される内容がディアクティベーション、第２のＤＣＩで通知される内容がアクティベーションである場合には、所定セルについてアクティブ化とディアクティブ化のいずれを行うかが問題となる。
【０１２８】
［ケース２’］
ＵＥが第２のＤＣＩより早く第１のＤＣＩを受信するが、第１のＤＣＩで指示されたセルのアクティベーション／ディアクティベーションの実効時間が、第２のＤＣＩで指示されたセルのアクティベーション／ディアクティベーションの実効時間より遅くなるケースが考えられる（図８参照）。
【０１２９】
図８では、ＵＥがスロット＃０において所定セルのアクティベーション／ディアクティベーションを指示する第１のＤＣＩを受信し、スロット＃３において所定セルのアクティベーション／ディアクティベーションを指示する第２のＤＣＩを受信する場合を示している。また、第１のＤＣＩの実効時間がスロット＃８、第２のＤＣＩの実効時間がスロット＃５となる場合を示している。
【０１３０】
ＵＥは、スロット＃５において、第２のＤＣＩで指示されたアクティベーション／ディアクティベーション動作を行い、スロット＃８において、第１のＤＣＩで指示されたアクティベーション／ディアクティベーション動作を行うことになる。
【０１３１】
この場合、第１のＤＣＩで通知される内容と第２のＤＣＩで通知される内容が同じである場合には、指示内容が衝突しない。例えば、ディアクティブ状態の所定セルに対して、第１のＤＣＩで通知される内容がアクティベーション、第２のＤＣＩで通知される内容がアクティベーションである場合には、スロット＃５、＃８においてそれぞれ所定セルのアクティブ化を行う。また、アクティブ状態の所定セルに対して、第１のＤＣＩで通知される内容がディアクティベーション、第２のＤＣＩで通知される内容がディアクティベーションである場合には、スロット＃５、＃８においてそれぞれ所定セルのディアクティブ化を行う。
【０１３２】
一方で、第１のＤＣＩで通知される内容と第２のＤＣＩで通知される内容が異なる場合には、指示内容が衝突する。例えば、ディアクティブ状態の所定セルに対して、第１のＤＣＩで通知される内容がアクティベーション、第２のＤＣＩで通知される内容がディアクティベーションである場合を想定する。この場合、ＵＥは、スロット＃５において所定セルのディアクティブ化を行い、スロット＃８において所定セルのアクティブ化を行うことになり、指示内容が衝突する。
【０１３３】
また、アクティブ状態の所定セルに対して、第１のＤＣＩで通知される内容がディアクティベーション、第２のＤＣＩで通知される内容がアクティベーションである場合を想定する。この場合、ＵＥは、スロット＃５において所定セルのアクティブ化を行い、スロット＃８において所定セルのディアクティブ化を行うことになり、指示内容が衝突する。
【０１３４】
［ケース３’］
ＵＥが第２のＤＣＩより早く第１のＤＣＩを受信し、第１のＤＣＩで指示されたセルのアクティベーション／ディアクティベーションの実効時間が、第２のＤＣＩで指示されたセルのアクティベーション／ディアクティベーションの実効時間より早くなるケースが考えられる（図９参照）。
【０１３５】
図９では、ＵＥがスロット＃０において所定セルのアクティベーション／ディアクティベーションを指示する第１のＤＣＩを受信し、スロット＃３において所定セルのアクティベーション／ディアクティベーションを指示する第２のＤＣＩを受信する場合を示している。また、第１のＤＣＩの実効時間がスロット＃５、第２のＤＣＩの実効時間がスロット＃８となる場合を示している。
【０１３６】
ＵＥは、スロット＃５において、第１のＤＣＩで指示されたアクティベーション／ディアクティベーション動作を行い、スロット＃８において、第２のＤＣＩで指示されたアクティベーション／ディアクティベーション動作を行うことになる。
【０１３７】
この場合、第１のＤＣＩで通知される内容と第２のＤＣＩで通知される内容が同じである場合には、指示内容が衝突しない。例えば、ディアクティブ状態の所定セルに対して、第１のＤＣＩで通知される内容がアクティベーション、第２のＤＣＩで通知される内容がアクティベーションである場合には、スロット＃５、＃８においてそれぞれ所定セルのアクティブ化を行う。また、アクティブ状態の所定セルに対して、第１のＤＣＩで通知される内容がディアクティベーション、第２のＤＣＩで通知される内容がディアクティベーションである場合には、スロット＃５、＃８においてそれぞれ所定セルのディアクティブ化を行う。
【０１３８】
一方で、第１のＤＣＩで通知される内容と第２のＤＣＩで通知される内容が異なる場合には、指示内容が衝突する。例えば、ディアクティブ状態の所定セルに対して、第１のＤＣＩで通知される内容がアクティベーション、第２のＤＣＩで通知される内容がディアクティベーションである場合を想定する。この場合、ＵＥは、スロット＃５において所定セルのアクティブ化を行い、スロット＃８において所定セルのディアクティブ化を行うことになり、指示内容が衝突する。なお、ここでは、第１のＤＣＩより後に送信される第２のＤＣＩの実効時間が第１のＤＣＩの実効時間より遅くなるため、第１のＤＣＩの指示内容が第２のＤＣＩの指示内容によって上書き（override）されると考えてもよい。
【０１３９】
また、アクティブ状態の所定セルに対して、第１のＤＣＩで通知される内容がディアクティベーション、第２のＤＣＩで通知される内容がアクティベーションである場合を想定する。この場合、ＵＥは、スロット＃５において所定セルのディアクティブ化を行い、スロット＃８において所定セルのアクティブ化を行うことになり、指示内容が衝突する。なお、ここでは、第１のＤＣＩより後に送信される第２のＤＣＩの実効時間が第１のＤＣＩの実効時間より遅くなるため、第１のＤＣＩの指示内容が第２のＤＣＩの指示内容によって上書き（override）されると考えてもよい。
【０１４０】
このように、複数のＤＣＩの指示内容が異なる場合、アクティブ化とディアクティブ化のいずれを行うかが問題となる。あるいは、複数のＤＣＩの指示内容が同じ場合であっても、アクティベーション／ディアクティベーションを適用するタイミングをどのように制御するかが問題となる。
【０１４１】
上記ケース１’−ケース３’について、ＵＥは第３の態様におけるオプション０、オプション１−３〜オプション１−６、オプション２の少なくとも一つを適用してもよい。これにより、ＤＣＩの指示が重複（又は、衝突）する場合であっても、所定条件に基づいてＵＥ動作をすることにより、所定セルのアクティベーション／ディアクティベーションを適切に行うことができる。
【０１４２】
（変形例２）
ＵＥに対するセル（又は、ＣＣ）の設定は上位レイヤ（例えば、ＲＲＣシグナリング）を利用して行われる。既存のＬＴＥシステム（Ｒｅｌ．１３以前）では、基地局が上位レイヤシグナリングを利用してセル（例えば、ＳＣｅｌｌ）を設定する場合、当該ＳＣｅｌｌはディアクティブ状態で設定される。つまり、ＵＥは、上位レイヤで設定されたＳＣｅｌｌを利用して通信を行う場合には、当該ＳＣｅｌｌをアクティブ化する必要があった。
【０１４３】
そこで、本実施の形態では、ＳＣｅｌｌをアクティブ状態でＵＥに設定する上位レイヤパラメータ（例えば、sCellState）を導入する。つまり、当該上位レイヤパラメータでＵＥに設定されたＳＣｅｌｌは、設定と同時にアクティブ状態として利用することができる。これにより、ＳＣｅｌｌを上位レイヤで設定した後に、当該ＳＣｅｌｌをアクティブ化するための動作を省略することができるため、スループットを向上することができる。
【０１４４】
あるいは、ＳＣｅｌｌをアクティブ状態でＵＥに設定する上位レイヤパラメータと、ＳＣｅｌｌをディアクティブ状態でＵＥに設定するパラメータを定義してもよい。基地局は、ＵＥとの通信にすぐに利用するＳＣｅｌｌについてアクティブ状態でＵＥに設定し、それ以外のＳＣｅｌｌはディアクティブ状態で設定してもよい。これにより、通信状況に応じて、アクティブ状態のＳＣｅｌｌとディアクティブ状態のＳＣｅｌｌを柔軟に設定することが可能となる。
【０１４５】
（無線通信システム）
以下、本実施の形態に係る無線通信システムの構成について説明する。この無線通信システムでは、上記複数の態様の少なくとも一つの組み合わせを用いて通信が行われる。
【０１４６】
図１０は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１４７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１４８】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１４９】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１５０】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１５１】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１５２】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【０１５３】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１５４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１５５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１５６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１５７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１５８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１５９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１６０】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１６１】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１６２】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１６３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１６４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１６５】
＜無線基地局＞
図１１は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１６６】
下りリンクによって無線基地局１０からユーザ端末２０に送信されるユーザデータは、上位局装置３０から伝送路インターフェース１０６を介してベースバンド信号処理部１０４に入力される。
【０１６７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１６８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１６９】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１７０】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１７１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１７２】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０１７３】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１７４】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０１７５】
また、送受信部１０３は、セルのアクティベーション又はディアクティベーションを指示する第１の制御信号及び第２の制御信号を送信する。また、送受信部１０３は、所定セルのアクティベーション又はディアクティベーションの指示に利用する制御信号の種別に関する情報を送信してもよい。例えば、送受信部１０３は、第１の制御信号に基づいてアクティベーションとディアクティベーションが制御されるセルに関する情報、及び第２の制御信号に基づいてアクティベーションとディアクティベーションが制御されるセルに関する情報の少なくとも一方を送信してもよい。
【０１７６】
図１２は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１７７】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１７８】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１７９】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１８０】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１８１】
制御部３０１は、所定セルのアクティベーション又はディアクティベーションの指示を、第１の制御信号と第２の制御信号のいずれか一方のみ、又は第１の制御信号と第２の制御信号の両方を利用して行うように制御する。
【０１８２】
また、制御部３０１は、所定セルのアクティベーション又はディアクティベーションを指示する場合、第１の制御信号と第２の制御信号を同じ時間領域（例えば、スロット又はシンボル）で送信しないように制御してもよい。また、制御部３０１は、所定セルのアクティベーション又はディアクティベーション用に第１の制御信号が設定される場合、所定セルのアクティベーション又はディアクティベーションの指示に第２の制御信号を利用しないように制御してもよい。あるいは、制御部３０１は、所定セルのアクティベーション又はディアクティベーション用に第２の制御信号が設定される場合、所定セルのアクティベーション又はディアクティベーションの指示に第１の制御信号を利用しないように制御してもよい。
【０１８３】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１８４】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１８５】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１８６】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１８７】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１８８】
測定部３０５は、受信した信号に関する測定を実施する。測定部３０５は、本開示に係る技術分野での共通認識に基づいて説明される測定器、測定回路又は測定装置から構成することができる。
【０１８９】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１９０】
＜ユーザ端末＞
図１３は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１９１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１９２】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１９３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１９４】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１９５】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０１９６】
送受信部２０３は、送信ビームを用いて信号を送信してもよいし、受信ビームを用いて信号を受信してもよい。送受信部２０３は、制御部４０１によって決定された所定のビームを用いて信号を送信及び／又は受信してもよい。
【０１９７】
また、送受信部２０３は、無線基地局１０から下り（ＤＬ）信号（ＤＬデータ信号（下り共有チャネル）、ＤＬ制御信号（下り制御チャネル）、ＤＬ参照信号の少なくとも一つを含む）を受信し、無線基地局１０に対して上り（ＵＬ）信号（ＵＬデータ信号、ＵＬ制御信号、ＵＬ参照信号の少なくとも一つを含む）を送信する。
【０１９８】
また、送受信部２０３は、セルのアクティベーション又はディアクティベーションを指示する第１の制御信号及び第２の制御信号を受信する。また、送受信部２０３は、所定セルのアクティベーション又はディアクティベーションの指示に利用する制御信号の種別に関する情報を受信してもよい。例えば、送受信部２０３は、第１の制御信号に基づいてアクティベーションとディアクティベーションが制御されるセルに関する情報、及び第２の制御信号に基づいてアクティベーションとディアクティベーションが制御されるセルに関する情報の少なくとも一方を受信してもよい。
【０１９９】
図１４は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０２００】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２０１】
制御部４０１は、ユーザ端末２０全体の制御を実施する。制御部４０１は、本開示に係る技術分野での共通認識に基づいて説明されるコントローラ、制御回路又は制御装置から構成することができる。
【０２０２】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２０３】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２０４】
制御部４０１は、所定セルのアクティベーション又はディアクティベーションを、第１の制御信号と第２の制御信号のいずれか一方のみ、又は第１の制御信号と第２の制御信号の両方を利用して行うように制御する。
【０２０５】
また、制御部４０１は、所定セルのアクティベーション又はディアクティベーションを指示する第２の制御信号の受信、及び所定セルに対するスケジューリング情報の受信の少なくとも一方に基づいて、所定セルに対するディアクティベーションタイマーを制御してもよい。
【０２０６】
また、制御部４０１は、所定セルのアクティベーションとディアクティベーションの指示が第２の制御信号で制御される場合、所定セルについてディアクティベーションタイマーによるディアクティベーションを行わないように制御してもよい。
【０２０７】
また、制御部４０１は、所定セルに対するアクティベーション又はディアクティベーションを指示する第１の制御信号と第２の制御信号を同時に受信しないと想定してアクティベーション／ディアクティベーションを制御してもよい。
【０２０８】
また、制御部４０１は、所定セルに対するアクティベーション又はディアクティベーションを指示する第１の制御信号と第２の制御信号を同時に受信した場合、いずれか一方の制御信号の指示に基づいて所定セルのアクティベーション又はディアクティベーションを行うように制御してもよい。
【０２０９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２１０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０２１１】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２１２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２１３】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２１４】
測定部４０５は、受信した信号に関する測定を実施する。測定部４０５は、本開示に係る技術分野での共通認識に基づいて説明される測定器、測定回路又は測定装置から構成することができる。
【０２１５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２１６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２１７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２１８】
例えば、本開示の一実施形態における基地局、ユーザ端末などは、本開示の無線通信方法の処理を行うコンピュータとして機能してもよい。図１５は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２１９】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０２２０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２２１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２２２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２２３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２２４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２２５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２２６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２２７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２２８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２２９】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２３０】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２３１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２３２】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２３３】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２３４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２３５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２３６】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２３７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２３８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２３９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２４０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２４１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２４２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２４３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２４４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２４５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２４６】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２４７】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２４８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２４９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２５０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２５１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２５２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２５３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２５４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２５５】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２５６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２５７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２５８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２５９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２６０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２６１】
本開示において使用する「システム」及び「ネットワーク」という用語は、互換的に使用され得る。
【０２６２】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２６３】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２６４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２６５】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２６６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２６７】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２６８】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２６９】
同様に、本開示におけるユーザ端末は、基地局で読み替えてもよい。この場合、上述のユーザ端末２０が有する機能を基地局１０が有する構成としてもよい。
【０２７０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２７１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２７２】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２７３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２７４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２７５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２７６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２７７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２７８】
また、「判断（決定）」は、「想定する（assuming）」、「期待する（expecting）」、「みなす（considering）」などで読み替えられてもよい。
【０２７９】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２８０】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２８１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２８２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２８３】
本開示において、例えば、英語でのa,  an及びtheのように、翻訳によって冠詞が追加された場合、本開示は、これらの冠詞の後に続く名詞が複数形であることを含んでもよい。
【０２８４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020008648.tif 000003
【図２】
2020008648.tif 000004
【図３】
2020008648.tif 000005
【図４】
2020008648.tif 000006
【図５】
2020008648.tif 000007
【図６】
2020008648.tif 000008
【図７】
2020008648.tif 000009
【図８】
2020008648.tif 000010
【図９】
2020008648.tif 000011
【図１０】
2020008648.tif 000012
【図１１】
2020008648.tif 000013
【図１２】
2020008648.tif 000014
【図１３】
2020008648.tif 000015
【図１４】
2020008648.tif 000016
【図１５】
2020008648.tif 000017
【国際調査報告】
2020008648.tif 000018
2020008648.tif 000019
2020008648.tif 000020
2020008648.tif 000021